(57)【要約】    【課題】  アダプタに取り付けられる水栓部品と取付部との間隔を常に一定にすることができ、水栓部品側の取付や使用等に支障を及ぼすことのない水栓部品の取付構造を提供すること。    【解決手段】  給水配管・給湯配管等に接続されると共に壁面１に取付固定されたアダプタ１２に、エルボ２０を取り付ける水栓部品の取付構造１０において、アダプタ１２には、ビス３が螺着されるビス孔１９が形成された鍔部１４と、鍔部１４よりもアダプタ１２先端側に備えられるとともにナット１８が螺着可能な雄ねじ部１６とが設けられ、エルボ２０には、アダプタ１２に挿入接続される円筒状部２６と、エルボ２０を鍔部１４のビス孔１９にビス止めするための挿通孔３８が設けられた。    【選択図】    図２
2005048553.tif 000002
【特許請求の範囲】
【請求項１】
給水配管・給湯配管等に接続されると共に壁面等の取付部に取付固定されたアダプタに、エルボや水栓等の水栓部品を取り付ける水栓部品の取付構造であって、
前記アダプタには、ビスが螺着されるビス孔が形成された鍔部と、該鍔部よりも前記アダプタ先端側に備えられるとともにナットが螺着可能な雄ねじ部とが設けられ、
前記水栓部品には、前記アダプタに挿入接続される円筒状部と、前記水栓部品を前記鍔部のビス孔にビス止めするための挿通孔が設けられたことを特徴とする水栓部品の取付構造。
【請求項２】
給水配管・給湯配管等に接続されると共に壁面等の取付部に取付固定されたアダプタに、エルボや水栓等の水栓部品を取り付ける水栓部品の取付構造であって、
前記アダプタには、鍔部と、該鍔部よりも前記アダプタ先端側に備えられるとともにナットが螺着可能な雄ねじ部とが設けられ、
前記水栓部品には、前記アダプタに挿入接続される円筒状部と、前記水栓部品を前記取付面にビス止めするための挿通孔が設けられたことを特徴とする水栓部品の取付構造。
【発明の詳細な説明】
【技術分野】
【０００１】
本発明は、給水配管・給湯配管等に接続されると共に壁面等の取付部に取付固定されたアダプタに、エルボや水栓等の水栓部品を取り付ける水栓部品の取付構造に関する。
【背景技術】
【０００２】
従来、給水配管・給湯配管等に接続されると共に壁面等の取付面に取付固定されたアダプタに、エルボや水栓等の水栓部品を取り付ける水栓部品の取付構造が知られている。例えば、図４にその水栓部品の取付構造の一例を示す。この水栓部品の取付構造６０は、取付部の一例である浴室（図示省略）の壁面１に取付固定され、霧状のミストシャワーを吐出可能なミストシャワー５がその上部に取り付けられたボックス６内に取付固定されるものである。この取付構造１０では、壁面１裏側に引きまわされた配管（図示省略）にその奥端側が接続された略円筒形状のアダプタ１２が取付固定されている。また、アダプタ１２の先端寄りには鍔部１４が周設されており、壁面１の表側からアダプタ１２に螺着されたナット１８と鍔部１４によって、壁面１にアダプタ１２が取り付け固定されている。そしてこのアダプタ１２の先端に、水栓部品の一例であるエルボ６２が取付固定されている。アダプタ１２側に接続されるエルボ６２の第一接続部６４には雄ねじが刻設されておりわずかに先細に形成されたテーパねじとされている。一方、アダプタ１２には、この第一接続部６４のテーパねじがねじ込まれる平行雌ねじが刻設されている。そして、エルボ６２のテーパねじにシールテープ６６を巻き付けておくことによりアダプタ１２とエルボ６２との水密を確保するとともに、エルボ６２をアダプタ１２にねじ込み、エルボ６２がそれ以上ねじ込むことができない位置までねじ込んで、エルボ６２のアダプタ１２に対するねじ込み及び位置決めが完了するものである（例えば、特許文献１参照。）。
【特許文献１】特開２００２−２６６３９１号公報（図３）
【発明の開示】
【発明が解決しようとする課題】
【０００３】
ところが、上記した従来の取付構造では、アダプタ１２に対するエルボ６２のねじ込み量によって壁面１からのエルボ６２の距離（いわゆる「出寸法」）が微妙に異なってしまうという問題があった。上記のようにテーパねじにシールテープ６６を巻き付けてアダプタ１２の雌ねじとエルボ６２の雄ねじの水密を図るように接続する取付構造１０では、シールテープ６６の巻き付け数によってテーパねじのねじ込み量を調整することになるが、このようにシールテープ６６の巻き付け数によってエルボ６２の出寸法を調節することは高度な熟練技術を必要とされる。よって、テーパねじを用いて接続する水栓部品の出寸法を正確に定めることは非常に困難であった。そして、このように水栓部品から取付部までの距離が一定ではないと、例えば図４に示すように、アダプタ１２とエルボ６２とが接続された際に、あらかじめ壁面１からの距離を想定して寸法が定められているボックス６の端部などと壁面１との位置合わせが困難となり、ボックス６の端部と壁面１との間に隙間が生じたり、逆にボックス６の端部を壁面１に対して位置決めしようとすれば、アダプタ１２とエルボ６２との接続が困難となるなどの問題が生じていた。
【０００４】
また、アダプタ１２が取付固定される壁面１等の取付部は、これが設置される現場において適宜に選択されているものであるため、その厚みは設置される取付部の種類によって異なることも多い。また、同じ種類の取付部であってもその厚みが微妙に異なっていることもある。上記したように従来の取付構造１０においては、アダプタ１２に対してエルボ６２等の水栓部品は一定位置で位置決めされることとなっているので、アダプタ１２の鍔部１４の前面に位置する取付部の厚みが異なると、同じアダプタ１２に取り付ける場合でも水栓部品から取付部までの距離（「出寸法」）は異なってしまうことになる。このように取付部の厚みが区々である場合にも、水栓部品から取付部までの距離が一定とはならず、例えば図４に示すように、あらかじめ壁面１からの距離を想定して寸法を決められているボックス６の端部などと壁面１との位置合わせが困難となるなどの問題が生じていた。
【０００５】
さらに、図４に示すような壁面１とボックス６との位置決めが問題となるような場合に限らず、例えば、回動可能なエルボの先にシャワーホースが取り付けられているような場合に、水栓部品と取付部との間隔があらかじめ想定していた距離よりも狭くなってしまったために、シャワーホースが取付部に干渉してシャワーの操作性に支障を及ぼすなど、水栓部品の使用に支障を及ぼすような問題も生じていた。
【０００６】
本発明は上記した従来の給水栓の問題点を解消するものであり、アダプタに取り付けられる水栓部品と取付部との間隔を常に一定にすることができ、水栓部品側の取付や使用等に支障を及ぼすことのない水栓部品の取付構造を提供することを目的とする。
【課題を解決するための手段】
【０００７】
以上の課題を解決するために、本発明の採った手段を以下に説明する。本発明の水栓部品の取付構造は「給水配管・給湯配管等に接続されると共に壁面等の取付部に取付固定されたアダプタに、エルボや水栓等の水栓部品を取り付ける水栓部品の取付構造であって、前記アダプタには、ビスが螺着されるビス孔が形成された鍔部と、該鍔部よりも前記アダプタ先端側に備えられるとともにナットが螺着可能な雄ねじ部とが設けられ、前記水栓部品には、前記アダプタに挿入接続される円筒状部と、前記水栓部品を前記鍔部のビス孔にビス止めするための挿通孔が設けられたことを特徴とする水栓部品の取付構造。」（請求項１）である。
【０００８】
本発明の取付構造では、アダプタに挿入接続される円筒状部を水栓部品に設けるとともに、アダプタの鍔部に水栓部品をビス止めすることとしている。よって、円筒状部の挿入量を調節することにより、アダプタに対する水栓部品の位置決めを調整することができる。よって、壁面などの取付部に対して、水栓部品を常に正確に一定の間隔に位置決めすることができる。なお、本発明において「水栓部品」とは、止水栓等の水栓類、ジョイント、エルボ、配管類等、水栓に関連する種々の部品を言う。
【０００９】
また、本発明の別の水栓部品の取付構造は「給水配管・給湯配管等に接続されると共に壁面等の取付部に取付固定されたアダプタに、エルボや水栓等の水栓部品を取り付ける水栓部品の取付構造であって、前記アダプタには、鍔部と、該鍔部よりも前記アダプタ先端側に備えられるとともにナットが螺着可能な雄ねじ部とが設けられ、前記水栓部品には、前記アダプタに挿入接続される円筒状部と、前記水栓部品を前記取付面にビス止めするための挿通孔が設けられたことを特徴とする水栓部品の取付構造。」（請求項２）である。
【００１０】
本発明の取付構造においても上記と同様に、円筒状部の挿入量を調節することによりアダプタに対する水栓部品の位置決めを調整することができ、壁面などの取付部に対して、水栓部品を常に正確に一定の間隔に位置決めすることができる。また、水栓部品を取付面にビス止めすることとしているので、鍔部にビス孔の無い汎用のアダプタを利用することもできる。なお、本発明における「水栓部品」についても、上記と同様に水栓に関連する種々の部品を言う。
【発明の効果】
【００１１】
本発明は上記のように構成されているので、アダプタに取り付けられる水栓部品と取付部との間隔を常に正確に一定にすることができ、水栓部品側の取付や使用等に支障を及ぼすことがない。また、請求項２の発明においては、これに加えて、汎用のアダプタを利用できるので、その製造コストを低減させることもできる。
【発明を実施するための最良の形態】
【００１２】
次に、本発明の水栓部品の取付構造の実施の形態を図を参考にして詳細に説明する。図１に示すように、この水栓部品の取付構造１０は、本発明の「取付部」の一例である浴室（図示省略）の壁面１に取付固定され、霧状のミストシャワーを吐出可能なミストシャワー５がその上部に取り付けられたボックス６内にその一端側が固定されるとともに、その他端側は壁面１に固定されるものであり、また、ボックス６とともに壁面１に取り付け固定されるものである。
【００１３】
図１及び図２に示すように、この取付構造１０では、アダプタ１２の外周面には鍔部１４が周設されており、この鍔部１４よりも先端側を壁面１に開口された取付孔２に挿通させて、その先端を壁面１表側に露呈可能に構成されている。アダプタ１２の鍔部１４よりも先端側には雄ねじ部１６が設けられており、壁面１表側からこの雄ねじ部１６にナット１８がねじ込まれて、壁面１裏側の鍔部１４とナット１８とで壁面１を挟持することによりアダプタ１２が壁面１に取付固定されている。また、アダプタ１２の先端には、後述するエルボ２０の円筒状部２６が挿嵌接続される挿嵌部１７が設けられている。また、図２に示すように、鍔部１４には後述するビス３がビス止めされるビス孔１９が２カ所に設けられている。
【００１４】
次いで、本発明の「水栓部品」の一例であるエルボ２０について説明する。エルボ２０は、アダプタ１２側に接続される第一接続部２２と、第一接続部２２とは反対側の水栓（図示省略）等に接続される第二接続部２４とを備えている。第一接続部２２と第二接続部２４とはその軸心が略直交するように配設され、エルボ２０の全体形状は略Ｌ字状に形成されている。
【００１５】
第一接続部２２は略円筒状に形成されており、その先端側には、アダプタ１２の挿嵌部１７内に挿嵌される円筒状部２６が設けられている。円筒状部２６は、その外形が挿嵌部１７の内径とほぼ同一に設けられると共に、その外周面には、Ｏリング２８が装着された２つの周溝３０が備えられ、挿嵌部１７と円筒状部２６との水密が図れている。また、第一接続部２２の円筒状部２６よりも奥端側外周面には、円筒状部２６が挿嵌部１７内に所定量以上に挿入された場合に挿嵌部１７先端部に当接して円筒状部２６を係止する係止突条３１が設けられている。  
【００１６】
また、図２に示すように、第一接続部２２の軸心を挟んだ外周面の両側には、それぞれ耳部３２が突設されている。耳部３２は、第一接続部２２の外周面から立ち上がるように突出する基体部３４と、この基体部３４の先端から第一接続部２２の先端側に屈曲形成されて連接される当接部３６とから構成されている。当接部３６には、それぞれビス３がビス止めされるとともにビス３の先端が当接部３６の先端側に突出可能な挿通孔３８が設けられている。なお、壁面１の取付孔２の周縁には、当接部３６から突出されたビス３が挿通される挿通孔４がそれぞれ設けられている。
【００１７】
次いで、この水栓部品の取付構造１０の取付方について説明する。まず、アダプタ１２の雄ねじ部１６を壁面１裏側から取付孔２に挿通し、雄ねじ部１６先端を壁面１表側に露呈させる。次いで、壁面１表側から雄ねじ部１６にナット１８を締め付ける。この時、鍔部１４のビス孔１９が壁面１の挿通孔４に一致するように位置合わせを行っておく。次いで、エルボ２０の第一接続部２２の円筒状部２６を、アダプタ１２の雄ねじ部１６内の挿嵌部１７に挿嵌し、耳部３２の当接部３６が壁面１に当接するまで挿入する。そして、当接部３６が壁面１に当接した状態において壁面１に対するエルボ２０の位置決めが正確になされることとなる。
【００１８】
さらに、耳部３２にビス３をそれぞれねじ込み、壁面１の挿通孔４内を挿通させ、壁面１裏側に配設されたアダプタ１２の鍔部１４のビス孔１９にビス３がねじ込まれて、エルボ２０が壁面１及びアダプタ１２に固定される。なお、この時点でナット１８をさらに増し締めしてアダプタ１２をより堅固に壁面１に固定することとしても良い。
【００１９】
このように構成された取付構造１０では、エルボ２０の壁面１に対する位置決めは、当接部３６の高さに従って常に一定となるように設けられている。図２に示す例では、アダプタ１２の雄ねじ部１６先端面とエルボ２０の耳部３２の基体部３４との間には隙間が設けられているが、例えば壁面１の厚みが図２に示す例よりも薄い場合には、図２に示す例よりも円筒状部２６を挿嵌部１７奥側にさらに挿入して当接部３６が壁面１に当接させる。また、逆に図２に示す例よりも壁面１の厚みが厚い場合には、図２に示す例よりも円筒状部２６を挿嵌部１７開口側寄りに位置させた状態で当接部３６を壁面１に当接させて壁面１に対するエルボ２０の位置決めを行う。このように、壁面１の厚みが変わっても壁面１に対するエルボ２０の位置決め（出寸法の調節）を極めて簡単に行うことができる。また、当接部３６を壁面１に当接するまで円筒状部２６を挿入することにより位置決めが行えるので、壁面１の厚みが微妙に異なる場合も含めて、極めて正確な位置決めを行うことができる。また、このように位置決めの調整を行う場合であっても、円筒状部２６の周溝３０に装着されたＯリング２８により、挿嵌部１７と円筒状部２６との水密は常に確保される。
【００２０】
次いで、本発明の第二の実施の形態について、図３を参照して説明する。上記した取付構造１０とは異なり、この水栓部品の取付構造１１は耳部３２にねじ込まれたビス３を壁面１にビス止めすることにより、エルボ２０を壁面１に固定するものである。なお、上記した第一の実施の形態と共通する構成については、第一の実施の形態と同一の符号を図に付して説明を省略する。この取付構造１１では、壁面１において耳部３２の挿通孔３８に一致する部位に設けられたビス孔７に、耳部３２表側からねじ込まれたビス３が、それぞれねじ込まれている。一方、上記した第一の実施の形態とは異なり、アダプタ１２の鍔部１４にはビス孔は設けられていない。このように構成された取付構造１１においても、上記第一の実施の形態と同様に、挿嵌部１７と円筒状部２６との水密が常に確保されるとともに、壁面１に対するエルボ２０の位置決めを極めて簡単かつ正確に行うことができる。また、鍔部１４にビス孔が設けられていない従来の汎用的なアダプタ１２を利用することができるので、取付構造１１の製造コストを低減させることもできる。
【００２１】
このようにして、上記した第一・第二の実施の形態においては、エルボ２０が取付固定されるボックス６の壁面１に対する間隔を調整することができることとなるので、例えば、ボックス６の端面と壁面１との間に隙間が生じないようにするなど、ボックス６の壁面１に対する位置決めも適切になすことができ、また、エルボ２０に取付固定される他の部材の取付も的確かつ容易に行うことができる。
【図面の簡単な説明】
【００２２】
【図１】取付構造の縦断面図である。
【図２】図１の取付構造の横断面図である。
【図３】別の取付構造の横断面図である。
【図４】従来の取付構造の縦断面図である。
【符号の説明】
【００２３】
１；壁面、２；取付孔、３；ビス、４；挿通孔、５；ミストシャワー、６；ボックス、７；ビス孔、１０，１１；取付構造、１２；アダプタ、１４；鍔部、１６；雄ねじ部、１７；挿嵌部、１８；ナット、１９；ビス孔、２０；エルボ、２２；第一接続部、２４；第二接続部、２６；円筒状部、２８；Ｏリング、３０；周溝、３１；係止突条、３２；耳部、３４；基体部、３６；当接部、３８；挿通孔、６０；取付構造、６２；エルボ、６４；第一接続部、６６；シールテープ。
【図１】
2005048553.tif 000003
【図２】
2005048553.tif 000004
【図３】
2005048553.tif 000005
【図４】
2005048553.tif 000006